(57)【特許請求の範囲】
【請求項１】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼停止時から次のバーナ燃焼開始までの時間と循環流路を流れる循環流量との関係データが前記非給湯側流体温度に応じて与えられているデータメモリと、時間計測手段と、他機能単独運転中に前記時間計測手段によって計測されるバーナの燃焼停止時から次のバーナ燃焼開始までの時間と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項２】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼開始時から次のバーナ燃焼停止までの時間と循環流路を流れる循環流量との関係データが前記非給湯側流体温度に応じて与えられているデータメモリと、時間計測手段と、前記時間計測手段によって計測されるバーナの燃焼開始時から次のバーナ燃焼停止までの時間と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項３】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼開始時から次の燃焼停止を経てバーナが再び燃焼開始するまでの時間と循環流路を流れる循環流量との関係データが前記非給湯側流体温度に応じて与えられているデータメモリと、時間計測手段と、前記時間計測手段によって計測されるバーナの燃焼開始時から次の燃焼停止を経てバーナが再び燃焼開始するまでの時間と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項４】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼停止時から次の燃焼動作を経てバーナが再び燃焼停止するまでの時間と循環流路を流れる循環流量との関係データが前記非給湯側流体温度に応じて与えられているデータメモリと、時間計測手段と、前記時間計測手段によって計測されるバーナ燃焼停止時から次の燃焼動作を経てバーナが再び燃焼停止するまでの時間と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項５】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の上側ピーク温度と循環流路を流れる循環流量との関係データが前記非給湯側流体温度に応じて与えられているデータメモリと、前記給湯熱交湯温センサによって検出される熱交湯温の上側ピーク温度と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項６】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の下側ピーク温度と循環流路を流れる循環流量との関係データが前記非給湯側流体温度に応じて与えられているデータメモリと、前記給湯熱交湯温センサによって検出される熱交湯温の下側ピーク温度と前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項７】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の上昇傾きと循環流路を流れる循環流量との関係データが前記非給湯側流体温度に応じて与えられているデータメモリと、前記給湯熱交湯温センサによって検出される熱交湯温の上昇傾きと前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項８】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の下降傾きと循環流路を流れる循環流量との関係データが前記非給湯側流体温度に応じて与えられているデータメモリと、前記給湯熱交湯温センサによって検出される熱交湯温の下降傾きと前記非給湯側流体温度検出センサで検出される非給湯側流体温度により前記データメモリに与えられている関係データに基づき循環流路を流れる流体の循環流量を求める循環流量検出部とが設けられている一缶二水路式給湯装置。
【請求項９】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の給湯熱交換器内湯温の上側ピーク温度と下側ピーク温度を時間軸上に表した経時データをベースとして時間的に前後する両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比と循環流量との関係データが前記非給湯側流体温度に応じて与えられているデータメモリと、時間の計測手段と、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比を求めこの求めた比の値と前記非給湯側流体温度検出センサによって検出された非給湯側流体温度の情報により前記データメモリに与えられている関係データに基づき循環流路を流れる流体の循環流量を求める循環流量検出部とが設けられている一缶二水路式給湯装置。
【請求項１０】
給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の給湯熱交換器内湯温の上側ピーク温度と下側ピーク温度を時間軸上に表した経時データをベースとして上側のピーク温度と下側ピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積と循環流路を流れる循環流量との関係データが前記非給湯側流体温度に応じて与えられているデータメモリと、時間計測手段と、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの上側のピーク温度と下側のピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積を求めこの求めた図形の面積と前記非給湯側流体温度検出センサによって検出された非給湯側流体温度の情報により前記データメモリに与えられている関係データに基づき循環流路を流れる流体の循環流路を求める循環流量検出部とが設けられている一缶二水路式給湯装置。
【請求項１１】
循環流量検出部で求められた循環流量が予め与えられている作動流量未満のときに循環路内の液無し状態を報知する液無し報知手段が設けられている請求項１乃至請求項１０のいずれか１つに記載の一缶二水路式給湯装置。
【請求項１２】
循環流量検出部で求められた循環流量が予め与えられている作動流量未満のときに他機能単独運転の停止を行う空焚き防止安全手段が設けられている請求項１乃至請求項１１のいずれか１つに記載の一缶二水路式給湯装置。
【請求項１３】
他機能運転の燃焼状態を報知する他機能燃焼ランプが設けられ、他機能単独運転が開始されたときに循環流路に設けられる循環ポンプを起動してバーナの燃焼駆動を行い循環流量検出部で求められる循環流量が予め与えられている作動流量以上となったことを確認して前記他機能燃焼ランプをオン駆動する他機能開始動作制御部が設けられている請求項１乃至請求項１２のいずれか１つにの記載の一缶二水路式給湯装置。
【請求項１４】
他機能の運転は追い焚き運転と成し、循環流路は浴槽に接続されて浴槽湯水を循環する追い焚き循環流路と成し、非給湯側熱交換器は循環浴槽湯水を追い焚きする追い焚き熱交換器と成した請求項１乃至請求項１３のいずれか１つに記載の一缶二水路式給湯装置。
【発明の詳細な説明】
【０００１】
【発明の属する技術分野】
本発明は、給湯機能と給湯以外の他機能を備えた一缶二水路式給湯装置に関するものである。
【０００２】
【従来の技術】
図１２には出願人が開発している一缶二水路式給湯装置のシステム構成が示されている。同図において、器具ケース１内には給湯機能の給湯熱交換器２と給湯以外の他機能の追い焚き機能を行う追い焚き熱交換器３とが一体化されて配設されている。すなわち、複数の共通のフィンプレート４に給湯側の水管を貫通装着して給湯熱交換器２と成し、同じくフィンプレート４に追い焚き側の水管を貫通装着して追い焚き熱交換器３と成している。
【０００３】
これら一体化された熱交換器の下方側には給湯熱交換器２と追い焚き熱交換器３を共通に加熱するバーナ５が配置されており、このバーナ５の燃焼の給排気を行う燃焼ファン６がバーナの下側に配置されている。バーナ５にはガス通路９が接続されており、このガス通路９には通路の開閉を行う電磁弁７，８とガスの供給量（バーナの燃焼熱量）を開弁量によって制御する比例弁１０が介設されている。なお、前記比例弁１０の開弁量制御は、具体的には、比例弁１０に印加される電流（開弁駆動電流）の可変制御によって行われている。
【０００４】
前記給湯熱交換器２の入側には給水管１１が接続されており、この給水管１１には給湯熱交換器２の入水温度（給水温度）を検出する給水温度検出センサ１２と、給水（給湯）流量（湯張りの場合には湯張り流量）を検出する流量検出センサ１３が設けられている。なお、給水管１１の入口側は水道管に接続されている。
【０００５】
前記給湯熱交換器２の出側には給湯管１４が接続されており、この給湯管１４は外部配管を介して台所等の所望の給湯場所に導かれている。前記給湯熱交換器２の出側の流路には給湯温度を検出する給湯温度センサ１５が設けられている。これら、給水管１１から給湯熱交換器２を経由して給湯管１４に至る通路は給湯回路を構成する。
【０００６】
前記追い焚き熱交換器３の入側には管路１６の一端側が接続され、管路１６の他端側は循環ポンプ１７の吐出側に接続されている。そして、循環ポンプ１７の吸込側と浴槽１８は戻り管２０によって接続されており、この戻り管２０には浴槽１８の循環湯水の温度を風呂温度として検出する風呂温度センサ２１と流水を検出する流水センサ（流水スイッチ）や流量センサ１９が設けられている。前記追い焚き熱交換器３の出側には往管２２の一端側が接続され、往管２２の他端側は浴槽１８に接続されており、浴槽１８から戻り管２０、循環ポンプ１７、管路１６、追い焚き熱交換器３および往管２２を介して浴槽１８に至る通路は流体の循環流路として機能する追い焚き循環流路２３を構成している。
【０００７】
前記給湯熱交換器２の給湯管１４と追い焚き循環路２３（図１２においては管路１６）は湯張り通路２４によって連通接続されており、この湯張り通路２４には通路の開閉を行う電磁弁等により構成される注湯弁２５が介設され、この注湯弁２５の下流側の湯張り通路２４には浴槽１８の水位を水圧によって検出する水位センサ（圧力センサ）２６が設けられている。
【０００８】
前記流量検出センサ１３、温度センサ１２，１５，２１、水位センサ２６等のセンサ検出信号は制御装置２７に加えられており、この制御装置２７にはリモコン２８が接続されている。このリモコン２８には給湯温度を設定する給湯温度設定手段や、風呂温度を設定する風呂温度設定手段や、自動運転、追い焚き運転、湯張り運転等を指令する各種運転ボタンや、必要な情報を表示する表示部等が設けられている。
【０００９】
前記制御装置２７は各種センサ検出信号とリモコン２８の情報を取り込み、内部に与えられているシーケンスプログラムに従い、給湯運転と、湯張り運転と、追い焚き運転を次のように制御する。
【００１０】
例えば、台所等に導かれた給湯通路の水栓３０が開けられ、流量検出センサ１３により作動流量が検出されると、燃焼ファン６の回転が行われ、電磁弁７，８の開動作が行われてバーナ５に燃料ガスが供給されると共に、点火器（図示せず）の点火によりバーナ５の燃焼が行われ、給湯温度センサ１５で検出される給湯温度がリモコン２８で設定される給湯設定温度に一致するように比例弁１０への開弁駆動電流を制御し、給湯熱交換器２を通る水をバーナ５の火炎により加熱して設定温度の湯を作り出し、この湯を給湯管１４を介して給湯場所へ給湯する。そして、水栓３０が閉められて、流量検出センサ１３からオフ信号が出力されたときに、バーナ燃焼を停止し、給湯運転モードの動作を終了する。
【００１１】
また、リモコン２８により自動運転のモードや、湯張り運転モードが指令されると、注湯弁２５が開けられる。そして、流量検出センサ１３により作動流量が検出されると、給湯運転の場合と同様にバーナ５の燃焼が開始し、給湯熱交換器２で作り出された湯は給湯管１４、湯張り通路２４を通り、さらに分岐して管路１６から追い焚き熱交換器３を経て往管２２を通る通路と戻り管２０を通る通路の両側から浴槽１８に湯が落とし込まれる。そして、設定水位までの湯の水量が落とし込まれたとき、又は水位センサ２６により設定水位が検出されたときに注湯電磁弁２５が閉じられバーナ５の燃焼が停止して湯張り運転モードの動作が終了する。
【００１２】
追い焚き運転モードの動作においては、注湯弁２５が閉じられている状態で、循環ポンプ１７が回転駆動され、浴槽１８内の湯水の循環が追い焚き回路２３を通して行われ、風呂温度センサ２１により浴槽の風呂温度が検出される。そして、風呂検出温度が風呂設定温度よりも低いときには、流水センサ又は流量センサ１９から流水オン信号を受けてバーナ５の点着火による燃焼が行われ（この燃焼状態が炎検出センサであるフレームロッドのオン信号により検出されたときに追い焚き状態を報知する追い焚き燃焼ランプが点灯される）、追い焚き循環流路２３を通して循環する浴槽湯水を追い焚き熱交換器３で加熱する。風呂温度センサ２１により浴槽湯水の温度が風呂設定温度に達したことが検出されたときに、循環ポンプ１７の停止とバーナ５の燃焼停止が行われて追い焚き運転モードの動作が終了する（バーナ５の燃焼停止がフレームロッドのオフ信号により検出されて追い焚き燃焼ランプは消灯する）。
【００１３】
上記の如く、一缶二水路風呂給湯器は、共通のバーナ５を用いて一体化された給湯熱交換器２と追い焚き熱交換器３を加熱する方式なので、別体に設けられた給湯熱交換器と追い焚き熱交換器をそれぞれ別個のバーナを用いて燃焼加熱する方式に比べ、装置構成の簡易化が図れ、これに伴い、装置（器具）の小型化とコスト低減が図れることになる。
【００１４】
ところで、この種の一缶二水路式の給湯装置は、給湯熱交換器２と追い焚き熱交換器３とが一体化されているため、追い焚き単独運転が行われて、バーナ５の燃焼により追い焚きが行われると、滞留している給湯熱交換器２内の湯水が加熱されて、沸騰あるいは沸騰寸前の高温に加熱され、水栓３０が開けられて給湯が開始する際に、その高温の湯水が出湯して危険の状態になるという問題が生じる。本出願人は、このような問題を解消するために、バーナ５の間欠燃焼の駆動方式を提案している。このバーナ５の間欠駆動方式は、給湯熱交換器２の水管に給湯熱交換器２内の湯温を検出する給湯熱交湯温センサ３１を設け、図１０に示すようにこの給湯熱交湯温センサ３１の検出情報をバーナオン・オフ燃焼制御部３２に加え、このバーナオン・オフ燃焼制御部３２によりバーナ５の間欠燃焼を制御するものである。
【００１５】
すなわち、バーナオン・オフ燃焼制御部３２は、追い焚き単独運転モードの動作（追い焚き単独オンの動作）であることを確認し、図１１に示す如く、給湯熱交湯温センサ３１で検出される給湯熱交湯温が予め与えられるオフ温度を上側に越えるときに、電磁弁７（８）を閉じてバーナ５の燃焼を停止（燃焼オフ）し、この燃焼停止中に給湯熱交湯温が予め与えられるオン温度を下側に越えるときに、電磁弁７（８）を開けてバーナ５の燃焼を開始（燃焼オン）させるという如く、バーナ５の間欠燃焼を制御し、追い焚き単独運転中における給湯熱交換器２側の湯温が高温に加熱されるのを防止して給湯開始時の安全をはかるものである。
【００１６】
【発明が解決しようとする課題】
一般に、浴槽１８内には髪の毛等のゴミが混入しやすく、追い焚き運転を行うと、これらの髪の毛等が流水センサや流量センサ１９の検出部に絡みつき、流水センサや流量センサ１９が故障を起こすという問題が生じる。流水センサや流量センサ１９が故障すると、例えば、追い焚き運転を行う場合、循環ポンプ１７が駆動して浴槽１８の湯水が追い焚き循環流路２３を循環しているにも拘わらず、その流水や流量が検出されないために、空焚き状態と判断されてバーナ５の燃焼が行われないという不具合状態が発生する。
【００１７】
本発明者は、一缶二水路式の熱交換器の特性、すなわち、追い焚き単独運転の動作中等において、給湯熱交換器２側の熱が追い焚き側の循環湯水に吸熱されて、追い焚き流量の大きさに応じ給湯熱交湯温が変化することに着目し、前記バーナ５の間欠燃焼運転に用いる給湯熱交湯温センサ３１の給湯熱交湯温の検出情報を利用して故障の生じやすい流水センサや流量センサ１９を用いることなく追い焚き循環流量の検出を行うことが可能な一缶二水路式給湯装置を提供するものである。
【００１８】
【課題を解決するための手段】
本発明上記技術課題を解決するために、次のような手段を講じている。すなわち、第１の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼停止時から次のバーナ燃焼開始までの時間と循環流路を流れる循環流量との関係データが前記非給湯側流体温度に応じて与えられているデータメモリと、時間計測手段と、他機能単独運転中に前記時間計測手段によって計測されるバーナの燃焼停止時から次のバーナ燃焼開始までの時間と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００１９】
また、第２の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼開始時から次のバーナ燃焼停止までの時間と循環流路を流れる循環流量との関係データが前記非給湯側流体温度に応じて与えられているデータメモリと、時間計測手段と、前記時間計測手段によって計測されるバーナの燃焼開始時から次のバーナ燃焼停止までの時間と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２０】
さらに、第３の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼開始時から次の燃焼停止を経てバーナが再び燃焼開始するまでの時間と循環流路を流れる循環流量との関係データが前記非給湯側流体温度に応じて与えられているデータメモリと、時間計測手段と、前記時間計測手段によって計測されるバーナの燃焼開始時から次の燃焼停止を経てバーナが再び燃焼開始するまでの時間と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２１】
さらに、第４の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中のバーナ燃焼停止時から次の燃焼動作を経てバーナが再び燃焼停止するまでの時間と循環流路を流れる循環流量との関係データが前記非給湯側流体温度に応じて与えられているデータメモリと、時間計測手段と、前記時間計測手段によって計測されるバーナ燃焼停止時から次の燃焼動作を経てバーナが再び燃焼停止するまでの時間と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２２】
さらに、第５の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の上側ピーク温度と循環流路を流れる循環流量との関係データが前記非給湯側流体温度に応じて与えられているデータメモリと、前記給湯熱交湯温センサによって検出される熱交湯温の上側ピーク温度と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２３】
さらに、第６の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の下側ピーク温度と循環流路を流れる循環流量との関係データが前記非給湯側流体温度に応じて与えられているデータメモリと、前記給湯熱交湯温センサによって検出される熱交湯温の下側ピーク温度と前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２４】
さらに、第７の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の上昇傾きと循環流路を流れる循環流量との関係データが前記非給湯側流体温度に応じて与えられているデータメモリと、前記給湯熱交湯温センサによって検出される熱交湯温の上昇傾きと前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２５】
さらに、第８の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の前記給湯熱交換器内湯温の下降傾きと循環流路を流れる循環流量との関係データが前記非給湯側流体温度に応じて与えられているデータメモリと、前記給湯熱交湯温センサによって検出される熱交湯温の下降傾きと前記非給湯側流体温度検出センサで検出される非給湯側流体温度により前記データメモリに与えられている関係データに基づき循環流路を流れる流体の循環流量を求める循環流量検出部とが設けられている構成をもって課題を解決する手段としている。
【００２６】
さらに、第９の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の給湯熱交換器内湯温の上側ピーク温度と下側ピーク温度を時間軸上に表した経時データをベースとして時間的に前後する両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比と循環流量との関係データが前記非給湯側流体温度に応じて与えられているデータメモリと、時間の計測手段と、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの両隣の下側ピーク温度を結ぶ下側ピーク間結線の長さ（ａ＋ｂ）のデータと上側ピーク温度から前記下側ピーク間結線に下した垂線の長さｃのデータとこの垂線の交点の位置から前側の下側ピーク温度までの線長ａのデータと前記垂線の交点の位置から後方の下側ピーク温度までの線長ｂのデータのうちのいずれか２つのデータの比を求めこの求めた比の値と前記非給湯側流体温度検出センサによって検出された非給湯側流体温度の情報により前記データメモリに与えられている関係データに基づき循環流路を流れる流体の循環流量を求める循環流量検出部とが設けられている構成をもって課題を解決する手段としている。
【００２７】
さらに、第１０の発明は、給湯加熱用の給湯熱交換器と、流体の循環流路に介設され給湯以外の他機能運転用の非給湯側熱交換器とが一体化され、この一体化された給湯熱交換器と非給湯側熱交換器とが共通のバーナにより燃焼加熱される構成とし、前記給湯熱交換器内湯温を検出する給湯熱交湯温センサが設けられ、給湯以外の他機能単独運転中に前記給湯熱交湯温センサによって検出される熱交検出湯温が予め与えられるオフ温度を上側に越えたときにバーナの燃焼を停止し前記熱交検出湯温が予め与えられるオン温度を下側に越えたときにバーナの燃焼を再開させるバーナオン・オフ燃焼制御部を備えた一缶二水路式給湯装置であって、前記非給湯側熱交換器の入側の循環流路内流体温度を非給湯側流体温度として検出する非給湯側流体温度検出センサと、他機能単独運転中の給湯熱交換器内湯温の上側ピーク温度と下側ピーク温度を時間軸上に表した経時データをベースとして上側のピーク温度と下側ピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積と循環流路を流れる循環流量との関係データが前記非給湯側流体温度に応じて与えられているデータメモリと、時間計測手段と、前記他機能単独運転中の少なくとも前記熱交検出湯温の上側ピーク温度と下側ピーク温度を経時データとして取り込み記憶する経時温度データ採取記憶部と、前記取り込み記憶された経時データを時間軸と温度軸のグラフ上に表したときの上側のピーク温度と下側のピーク温度との経時的に連続する４個のピーク温度位置と下側のピーク温度位置から両隣の上側のピーク温度を結ぶ線に下ろした垂線の交点位置と上側のピーク温度位置から両隣の下側のピーク温度を結ぶ線に下ろした垂線の交点位置の３点以上を結んで得られる図形の面積を求めこの求めた図形の面積と前記非給湯側流体温度検出センサによって検出された非給湯側流体温度の情報により前記データメモリに与えられている関係データに基づき循環流路を流れる流体の循環流路を求める循環流量検出部とが設けられている構成をもって課題を解決する手段としている。
【００２８】
さらに、第１１の発明は、前記第１乃至第１０のいずれか１つの発明の構成を備えたものにおいて、循環流量検出部で求められた循環流量が予め与えられている作動流量未満のときに循環路内の液無し状態を報知する液無し報知手段が設けられている構成をもって課題を解決する手段としている。
【００２９】
さらに、第１２の発明は、前記第１乃至第１１のいずれか１つの発明の構成を備えたものにおいて、循環流量検出部で求められた循環流量が予め与えられている作動流量未満のときに他機能単独運転の停止を行う空焚き防止安全手段が設けられている構成をもって課題を解決する手段としている。
【００３０】
さらに、第１３の発明は、前記第１乃至第１２のいずれか１つの発明の構成を備えたものにおいて、他機能運転の燃焼状態を報知する他機能燃焼ランプが設けられ、他機能単独運転が開始されたときに循環流路に設けられる循環ポンプを起動してバーナの燃焼駆動を行い循環流量検出部で求められる循環流量が予め与えられている作動流量以上となったことを確認して前記他機能燃焼ランプをオン駆動する他機能開始動作制御部が設けられている構成をもって課題を解決する手段としている。
【００３１】
さらに、第１４の発明は、前記第１乃至第１３のいずれか１つの発明の構成を備えたものにおいて、他機能の運転は追い焚き運転と成し、循環流路は浴槽に接続されて浴槽湯水を循環する追い焚き循環流路と成し、非給湯側熱交換器は循環浴槽湯水を追い焚きする追い焚き熱交換器と成した構成をもって課題を解決する手段としている。
【００３２】
上記本発明においては、給湯以外の他機能単独運転の動作中は、給湯熱交湯温センサによって給湯熱交換器内の湯温が検出され、その給湯熱交湯温に基づいてバーナのオン・オフ間欠燃焼が行われて給湯熱交換器内の滞留湯水の温度が高温に達するのを防止する。
【００３３】
その一方で、バーナのオン・オフ間欠燃焼のバーナオフからオンまで、オンからオフまで、オンからオンまで、オフからオフまでという如く予め定められたバーナの動作状態の時間の情報あるいは給湯熱交湯温センサで検出される給湯熱交湯温の検出情報が循環流量検出部に加えられる。また、非給湯側流体温度検出センサにより、検出される循環流路を流れる循環流体の温度検出値が非給湯側流体温度のデータとして循環流量検出部に加えられる。
【００３４】
循環流量検出部は、これらの加えられる情報とデータメモリに与えられているこれらの情報に対応する関係データとを参照し、循環流路を流れる循環流量を検出する。
【００３５】
この検出された循環流量が予め与えられる作動流量未満のときには循環流路内に液体（流体）がないことを報知したり、空焚きを防止するためのバーナの燃焼停止（他機能単独運転の停止）が行われて器具運転の安全が図られる。
【００３６】
【発明の実施の形態】
以下、本発明の実施形態例を図面に基づき説明する。図１はバーナ５のオン・オフ間欠燃焼の動作状態の時間計測情報に基づき循環流路内を流れる流量を検出する実施形態例の要部ブロック構成を示すものである。本実施形態例の一缶二水路式給湯装置のシステムは図１２に示す流水センサや流量センサ１９が必要に応じ省略される以外は図１２に示すものと同様であり、同一名称部分には同一符号を用いてその重複説明は省略する。
【００３７】
図１に示す第１の実施形態例の特徴的な制御構成は制御装置２７に設けられるもので、バーナオン・オフ燃焼制御部３２と、時間計測手段３３と、循環流量検出部３４と、データメモリ３５と、液無し報知手段として機能する水無し報知手段３６と、空焚き防止安全手段３７とを有して構成されている。バーナオン・オフ燃焼制御部３２は前記図１０で説明した場合と同様に給湯熱交湯温センサ３１の給湯熱交湯温検出データを取り込み、給湯熱交湯温が予め設定されているオフ温度を上側に越えたときにはバーナ５の燃焼を停止し、給湯熱交湯温が予め与えらているオン温度を下側に越えたときにはバーナ５の燃焼を再開するという如く、バーナ５をオン・オフ間欠燃焼させて追い焚き単独運転中に給湯熱交換器２内の滞留湯水の温度が高温になるのを防止する。
【００３８】
循環流量検出部３４は、前記バーナオン・オフ燃焼制御部３２によるバーナ５のオン・オフ間欠燃焼制御の信号を取り込んでバーナ５が燃焼状態にあるか燃焼停止状態にあるかを検出し、時間計測手段３３の時間計測情報と、非給湯側流体温度センサとして機能する風呂温度センサ２１によって検出される非給湯側流体温度としての追い焚き循環流の温度（風呂温度）の情報と、データメモリ３５に格納されている循環流量検出用の関係データとに基づき追い焚き循環路２３を流れる循環流量を検出する。
【００３９】
より具体的に説明すれば、データメモリ３５にはバーナ５の燃焼停止（燃焼オフ）から次の燃焼開始（燃焼オン）までの時間と循環流量との関係データが追い焚き循環流の温度に応じて、つまり、追い焚き循環流の温度をパラメータとして与えられている。本発明者の実験による検討によれば、バーナ５のオン・オフ間欠燃焼を行ったときの給湯熱交湯温の変化は、追い焚き循環流路２３内の循環流量が大の場合は図３に示すような変化を示し、追い焚き循環流路２３内の循環流量が小のときには図６に示すような給湯熱交湯温の変化パターンを示すことが検証されている。
【００４０】
すなわち、追い焚き循環流路２３内の循環流量が小の場合には、バーナ５の燃焼区間においては、給湯熱交換器２側から追い焚き熱交換器３を通る流水側への吸熱量が小となるので、給湯熱交換器２側の湯水の温度上昇のスピードが早くなり、給湯熱交湯温は時間の経過に従い急速に立ち上がる。また、バーナ５の燃焼停止区間では、同様に追い焚き循環流路２３の流水による吸熱量が小のため、給湯熱交換器２内の湯温は自然空冷に近い状態で低下するため、その湯温降下のスピードが遅く、追い焚き循環流路２３内の循環流量が大の場合に比べ給湯熱交湯温はゆっくりと低下する。すなわち、図３と図６の温度変化パターンを比較すれば明らかな如く、バーナがオフしてから次にバーナがオンするまでの時間ｔ1は追い焚き循環流路２３内の循環流量が大の場合と小の場合とでは小の場合の方が遥かに大きくなる。また、このバーナがオフしてから次にバーナがオンするまでの時間ｔ1は、追い焚き循環流の温度に依存し、循環流の温度が高いときには、給湯熱交換器２側から追い焚き循環流側への吸熱量が少なくなるので、循環流の温度が低い場合に比べ大きくなる。これらの点に着目し、本実施形態例では、予め実験等により追い焚き循環流路２３内の循環流量の大きさと前記時間ｔ1との関係を循環流の温度に応じて（温度を可変して）求め、そのデータを関係データとしてデータメモリ３５に格納している。具体的には、この関係データは、図７の（ａ）に示す形態でデータメモリ３５に与えられる。この図７の（ａ）に示す関係データは、横軸を循環流量とし、縦軸の流量検出用データは追い焚き単独運転時におけるバーナがオフしてから次にバーナがオンするまでの時間ｔ1の値で与えられ、この循環流量と時間ｔ1の関係データは循環流の温度ＴF1，ＴF2，ＴF3，…（ＴF1＜ＴF2＜ＴF3＜…）をパラメータとして与えられる。
【００４１】
時間計測手段３３はタイマやクロック機構等の時間計測機能を備えた手段により構成されており、循環流量検出部３４の指令によって時間の計測を行う。
【００４２】
循環流量検出部３４は、バーナオン・オフ燃焼制御部３２によるバーナ５の間欠燃焼の制御信号に基づき、バーナ５の燃焼オフの時点と燃焼開始の時点とを検知し、バーナ５の燃焼オフの時点を検知したときから次の燃焼開始までの時間の計測指令を時間計測手段３３に加え、そのバーナ燃焼停止から次のバーナ燃焼開始までの時間の検出情報を時間計測手段３３から得る。
【００４３】
そして、風呂温度センサ２１から循環流の検出温度ＴFの情報を取り込み、計測時間ｔ1と検出温度ＴFとデータメモリ３５に予め格納されている前記関係データとを比較し、検出時間ｔ1と検出温度ＴFに対応する追い焚き循環流路２３内の循環流量を求める。そして、求めた循環流量が予め与えられている作動流量（例えば３リットル／分）未満のときは水無し検知信号（液無し検知信号）を水無し報知手段３６と空焚き防止安全手段３７に加える。
【００４４】
液無し報知手段として機能する水無し報知手段３６は、前記循環流量検出部３４から水無し検知信号が出力されたときには、例えばリモコン２８の表示部あるいはその他の適宜の手段によって追い焚き循環流路２３内に水がないことをブザー等の音声、液晶画面へのメッセージ表示、合成音によるメッセージ表示、ランプ等による点灯、点滅によるランプ表示等の適宜の報知形態でもって水無し報知を行う。
【００４５】
空焚き防止安全手段３７は、前記循環流量検出部３４から水無し検知信号が出力されたときに電磁弁７（８）を閉じてバーナ５の燃焼を強制的に停止ロックし、追い焚き熱交換器３の空焚きの危険を防止する。なお、バーナ燃焼の停止ロックは、リセット信号が加えられない限り、バーナ５の燃焼の開始指令を受けつけない動作状態を意味し、例えば、制御装置２７の電源が一端切られてから再び電源がオンすることによりリセットがされるものである。
【００４６】
この実施形態例においては、追い焚き単独運転中のバーナ５のオン・オフ間欠燃焼制御におけるバーナ燃焼停止時から燃焼開始までの時間計測データによって追い焚き循環流路２３内の水の流水有無や流量が検出できるので、流水や流量を検出する図１２に示す流水センサや流量センサ１９を省略することが可能となり、その分、装置コストの低減化を図ることが可能である。
【００４７】
また、本実施形態例では追い焚き循環流路２３に流水や流量を検出するためのセンサを設けることなく流路２３内の流水の有無および流量を判断できるので、追い焚き循環の流水や流量を検出するセンサに髪の毛等が絡みついて故障を起こすという問題は全く生じないので、追い焚き循環流路２３内の流水の有無判断および流量検出を確実に、且つ、高信頼性のもとで検出することができ、追い焚き熱交換器３の空焚きによる危険防止を確実に図ることができる。
【００４８】
流水センサや流量センサ１９を用いて追い焚き循環流路２３内の流水の有無や流量を判断する方式では、流水センサや流量センサ１９は故障しやすいので、故障が生じたときには、追い焚き循環流路２３内に循環湯水の流水が生じているにも拘わらずその検知信号が得られずに燃焼が停止されて追い焚きが出来なかったり、あるいは追い焚き循環流路２３内に水（流水）がないにも拘わらずこれを検知することが出来ずに空焚き状態になるという危険発生の問題を確実に防止できるので、追い焚きの運転を円滑に行うことができるとともに、前記の如く空焚き防止を確実に図ることができるという優れた効果を奏することが可能となるものである。さらに、本実施形態例では循環流量検出部３４により追い焚き循環流量が検出されるので、追い焚き運転中に、その検出された循環流量のデータを用いて、循環流量の制御を行うことが可能となり、例えば、循環流量が一定となるように循環ポンプ１７の駆動入力を制御したり、あるいは追い焚き単独運転中に、給湯熱交湯温センサ３１の検出温度が高くなってオフ温度に近づいたときには給湯熱交換器２側から追い焚き循環湯水への吸熱量を増加するために循環流量を大となる方向に制御する等の様々な循環流量の制御形態の展開が可能となるものである。
【００４９】
次に、バーナ５の間欠燃焼制御の動作状態の時間計測情報に基づいて追い焚き循環流路２３の通水流量を検出する第２の実施形態例を説明する。この第２の実施形態例の制御構成は前記図１に示すブロック構成と同様であり、この第２の実施形態例が前記第１の実施形態例と異なることは、追い焚き単独運転中におけるバーナ５のオン・オフ間欠燃焼によるバーナ５の燃焼開始時から次の燃焼停止までの時間ｔ2の情報によって追い焚き循環流路２３の通水流量を検出するように構成したことであり、それ以外の構成は前記第１の実施形態例と同様である。
【００５０】
この第２の実施形態例においては、データメモリ３５にはバーナ５の燃焼開始時から燃焼停止までの時間ｔ2と循環流の温度によって追い焚き循環流路２３の通水流量を検出するための関係データが格納される。そして、循環流量検出部３４は、追い焚き単独運転中に、バーナ５の燃焼開始時から次の燃焼停止までの時間ｔ2を時間計測手段３３により計測し、その計測時間ｔ2と風呂温度センサ２１によって検出される循環流の温度ＴFをデータメモリ３５に格納されている関係データと照合し、時間ｔ2と温度ＴFに対応する循環流量を検出する。
【００５１】
図３と図６の温度変化パターンから明らかな如く、追い焚き循環流路２３内の通水流量小のときの図６に示すｔ2の値が、通水流量大の場合の図３に示すｔ2よりも小さな値となり、また、循環流の温度ＴFが大きくなるにつれ、時間ｔ2の値は小さくなる。このことから、データメモリ３５には図７の（ｂ）に示す形態の関係データが予め実験等により求められて格納される。この図７の（ｂ）のデータの流量検出用データは前記時間ｔ2の値で与えられるものであり、ＴF1，ＴF2，ＴF3，…は循環流の温度（ＴF1＜ＴF2＜ＴF3＜…）である。なお、水無し検知信号が加えられたときの水無し報知手段３６と空焚き防止安全手段３７の動作は前記第１の実施形態例の場合と同様であるのでその説明は省略する。
【００５２】
この第２の実施形態例も、前記第１の実施形態例と同様の効果を奏するものである。
【００５３】
次にバーナ５のオン・オフ間欠燃焼の動作状態の時間計測情報に基づいて追い焚き循環流路２３内の通水流量検出を行う第３の実施形態例を説明する。この第３の実施形態例は追い焚き単独運転中におけるバーナ５の燃焼開始時から燃焼停止期間を介して再び燃焼開始されるまでの時間ｔ3の情報と循環流温度ＴFに基づき追い焚き循環流路２３内の通水流量を検出するように構成したものであり、それ以外の構成は前記第１および第２の各実施形態例と同様である。
【００５４】
この第３の実施形態例においては、データメモリ３５に追い焚き単独運転中におけるバーナ５の燃焼開始時から次の燃焼停止期間を介して再び燃焼が開始されるまでの時間ｔ3と通水流量との関係データが循環流の温度に応じて（循環流の温度をパラメータとして）与えられる。このバーナ５の燃焼開始時から次の燃焼開始時までの時間ｔ3は図３と図６を比較すれば明らかな如く、追い焚き循環流路２３内の通水流量が大の状態の図３に示されるｔ3よりも追い焚き循環流路２３の通水流量が小の状態を示す図６のｔ3の値が大きくなる。また、循環流の温度ＴFが低い場合よりも高い方が給湯熱交換器２側から追い焚き循環流側への吸熱量が小さくなるので、時間ｔ3は大きくなり、このことから、データメモリ３５には図７の（ａ）に示す形態の関係データが格納されることになる。なお、この図７（ａ）に示すデータで、流量検出用データとして、前記時間ｔ3の値が与えられることになる。
【００５５】
この第３の実施形態例では循環流量検出部３４は時間計測手段３３によって追い焚き単独運転中におけるバーナ５の燃焼開始時から次の燃焼停止期間を介して次にバーナの燃焼が開始されるまでの時間を検出し、その検出時間ｔ3と風呂温度センサ２１で検出される循環流の温度ＴFのデータをデータメモリ３５に格納されている関係データと照合し、検出時間ｔ3と循環流の温度ＴFに応じた循環流量を検出する。そして、この検出循環流が予め与えられている作動流量未満のときには追い焚き循環流路２３内に水（流水）がない状態と判断して水無し検知信号を出力し、水無し報知手段３６による水無しの報知と空焚き防止安全手段３７による燃焼の強制的な停止ロック動作を行うものである。この第３の実施形態例も前記第１、第２の各実施形態例と同様な効果を奏するものである。
【００５６】
次にバーナ５のオン・オフ燃焼動作状態の時間計測情報に基づいて追い焚き循環流路２３内の流量を検出する第４の実施形態例を説明する。この第４の実施形態例は追い焚き単独運転中におけるバーナ５の燃焼停止時から次の燃焼期間を介して次に燃焼停止されるまでの時間ｔ4と循環流の温度ＴFの情報に基づき追い焚き循環流路２３内の通水流量の検出を行うように構成したものであり、それ以外の構成は前記第１、第２、第３の各実施形態例と同様である。
【００５７】
この第４の実施形態例では、データメモリ３５には追い焚き単独燃焼運転中のバーナ燃焼停止時から次の燃焼期間を介して再び燃焼停止されるまでの時間ｔ4と循環流量との関係データが循環流の温度ＴFに応じて（循環流の温度ＴFをパラメータとして）与えられる。このｔ4の時間は図３と図６の動作状態を比較すれば明らかな如く、追い焚き循環流路２３内の通水流量が大の場合の図３に示すｔ4の値よりも追い焚き循環流路２３内の通水流量が小の場合の図６に示すｔ4の値が明らかに大きくなっている。また、循環流の温度ＴFが低い場合よりも高い場合の方が給湯熱交換器２側から循環流側への吸熱量が小さくなるので、前記時間ｔ4の値が大きくなる。このことから、時間ｔ4と循環流量との関係データは図７（ａ）に示す形態で与えられ、この図７（ａ）の流量検出用データとして、前記時間ｔ4の値が与えられる。
【００５８】
循環流量検出部３４は追い焚き単独運転中におけるバーナ５の燃焼停止時から次の燃焼期間を介して再び燃焼停止されるまでの時間ｔ4を時間計測手段３３を用いて検出し、その検出時間ｔ4と風呂温度センサ２１で検出される循環流の温度ＴFの値をデータメモリ３５に与えらている関係データと照合し、前記検出時間ｔ4と循環流の温度ＴFに対応する循環流量を求める。そして、検出された（求められた）循環流量の大きさが予め与えられている作動流量未満のときには、追い焚き循環流路２３内に水（流水）がない状態と判断して水無し検知信号を出力し、水無し報知手段３６による水無し報知と空焚き防止安全手段３７による燃焼の停止ロック動作を行わせるものである。
【００５９】
この第４の実施形態例も前記第１〜第３の各実施形態例と同様な効果を奏するものである。
【００６０】
次に給湯熱交湯温センサ３１の給湯熱交湯温検出情報と循環流の温度情報に基づき追い焚き循環流路２３内の通水流量の検出を行う本発明の第５の実施形態例について説明する。この実施形態例は図２に示すブロック構成を有するもので、バーナオン・オフ燃焼制御部３２と、循環流量検出部３４と、データメモリ３５と、経時温度データ採取記憶部３８と、液無し報知手段として機能する水無し報知手段３６と、空焚き防止安全手段３７とを有して構成されており、バーナオン・オフ燃焼制御部３２と水無し報知手段３６と空焚き防止安全手段３７の構成は前記図１に示すものと同様であるのでその説明は省略する。
【００６１】
経時温度データ採取記憶部３８は給湯熱交湯温センサ３１で検出される給湯熱交湯温の検出情報を例えば０．１秒あるいは１秒という如く所定のサンプリング時間ごとに取り込んでそのデータを記憶する。データメモリ３５には追い焚き循環流路２３内の通水流量を給湯熱交湯温の上側のピーク温度Ｐuと循環流の温度ＴFによって検出するための関係データが格納される。本発明者の実験による検討によれば、給湯熱交湯温の経時変化のパターン上で、例えば図３に示される上側ピーク温度Ｐuは追い焚き循環流路２３内の通水流量が小の場合にはその循環流による給湯熱交換器２側からの吸熱（奪う熱）が少ないので、上側ピーク温度は追い焚き循環流路２３内の通水量が大の場合に比べ高くなる。また、循環流の温度ＴFが低い場合よりも高い方が給湯熱交換器２側から循環流側への吸熱量が小さくなるので、給湯熱交湯温の上側のピーク温度Ｐuは高くなる。このことから、データメモリ３５には図７の（ａ）に示す形態の関係データが格納される。なお、この図７の（ａ）に示される流量検出用データは、上側ピーク温度Ｐuの値で与えられる。
【００６２】
循環流量検出部３４は経時温度データ採取記憶部３８で採取記憶された給湯熱交湯温のピーク温度Ｐuと風呂温度センサ２１で検出される循環流の温度ＴFとをデータメモリ３５に格納されている関係データ等を照合し、前記ピーク温度Ｐuと循環流温度ＴFに対応する循環流量を求める。そして、この求めた循環流量の値が予め与えられている作動流量未満のときには、追い焚き循環流路２３内に流水がないものと判断し水無し検知信号を水無し報知手段３６と空焚き防止安全手段３７に加える。
【００６３】
水無し報知手段３６は前記図１に示される構成の場合と同様に水無し検知信号を受けて追い焚き循環流路２３内に水（流水）がないことを報知する。また、空焚き防止安全手段３７も前記図１に示す構成と同様に水無し検知信号を受けて電磁弁７（８）を閉じ、バーナ５の燃焼を強制的にロック停止する。
【００６４】
この実施形態例においても、前記図１２に示すような流水センサや流量センサ１９によらずに、給湯熱交湯温センサ３１の給湯熱交湯温の検出情報と風呂温度センサ２１による循環流の温度情報に基づき追い焚き循環流路２３内の通水流量が検出できるので、前記図１に示す第１〜第４の各実施形態例と同様な効果を奏するものである。
【００６５】
次に給湯熱交湯温センサ３１の給湯熱交湯温の検出情報と循環流温度の検出情報に基づき追い焚き循環流路２３内の通水流量を検出する本発明の第６の実施形態例を説明する。この第６の実施形態例は給湯熱交湯温の経時変化データの下側ピーク温度ＰLと循環流の温度ＴFに基づいて追い焚き循環流路２３内の通水流量を検出するように構成したものであり、それ以外の構成は前記第５の実施形態例と同様である。給湯熱交湯温の経時変化データの下側ピーク温度ＰLは追い焚き循環流路２３内の通水流量が小の場合の方が大の場合に比べ、給湯熱交換器２側から追い焚き熱交換器３側に吸熱される熱量が小さいので、下側ピーク温度ＰLは高くなる。また、下側ピーク温度ＰLは、循環流の温度ＴFが高い方が低い場合に比べ高くなる。このことから、データメモリ３５に与えられる関係データは図７の（ａ）に示す形態のデータとなり、この図７の（ａ）の流量検出用データとして、前記下側ピーク温度ＰLの値が与えられる。
【００６６】
循環流量検出部３４は、前記経時温度データ採取記憶部３８で採取記憶された給湯熱交湯温の経時変化データの下側ピーク温度と風呂温度センサ２１で検出される循環流の温度ＴFをデータメモリ３５に格納されている関係データと照合し、下側ピーク温度ＰLと循環流の検出温度ＴFに対応する循環流量を検出する。そして、その検出した循環流量が予め与えられている作動流量未満のときには、追い焚き循環流路２３内に流水がないものと判断して水無し検知信号を出力し、水無し報知手段３６による水無し報知と空焚き防止安全手段３７によるバーナ５の燃焼の停止ロック動作を行わせるものである。
【００６７】
この第６の実施形態例も前記第１〜第５の各実施形態例と同様の効果を奏するものである。
【００６８】
次に給湯熱交湯温の検出情報と循環流温度の検出情報に基づき追い焚き循環流路２３内の通水流量を検出する本発明の第７の実施形態例を説明する。この第７の実施形態例は給湯熱交湯温の経時変化データにおける熱交検出湯温の上昇傾きと循環流の温度により追い焚き循環流路２３内の通水流量を検出するように構成したものである。
【００６９】
給湯熱交湯温の上昇傾きは、図３と図６を比較すれば明らかな如く、追い焚き循環流路２３内の通水量が小の場合の方が大の場合よりも上昇傾きは大となる。また、循環流の温度ＴFが高い方が低い場合よりも給湯熱交湯温の上昇傾きは大きくなる。このことから、データメモリ３５には図７の（ａ）に示す形態の関係データが格納される。この図７の（ａ）に示す流量検出用データとして、前記給湯熱交湯温の上昇傾きの値が与えられる。
【００７０】
この第７の実施形態例では循環流量検出部３４に演算部４２が設けられ、演算部４２は経時温度データ採取記憶部３８で採取記憶された給湯熱交湯温の経時データから給湯熱交湯温の上昇の傾きを演算により求める。
【００７１】
循環流量検出部３４は演算された給湯熱交湯温の上昇の傾きと風呂温度センサ２１で検出された循環流の温度ＴFをデータメモリ３５に格納されている関係データと照合し、給湯熱交湯温の上昇傾きと循環流の検出温度ＴFに対応する追い焚き循環流路２３を通る循環流量を検出する。そして、その検出した循環流量が予め与えられている作動流量未満のときには、追い焚き循環流路２３内に流水がない状態と判断して水無し検知信号を出力し、水無し報知手段３６による水無しの報知と空焚き防止安全手段３７によるバーナ５の強制的な燃焼の停止ロックの動作を行わせるものである。この第７の実施形態例も前記第１〜第６の各実施形態例と同様な効果を奏するものである。
【００７２】
次に給湯熱交湯温の検出情報と循環流温度の検出情報に基づき追い焚き循環流路２３内の通水流量検出を行う第８の実施形態例を説明する。この第８の実施形態例は給湯熱交湯温の下降傾きと循環流温度により追い焚き循環流路２３内の通水流量を検出するように構成したものである。給湯熱交湯温のバーナ燃焼の停止期間における下降傾きは図３と図６の温度変化パターンから明らかなように、追い焚き循環流路２３内の通水流量が小の場合の方が大の場合に比べ緩やかとなる。
【００７３】
また、給湯熱交湯温のバーナ燃焼の停止期間における下降傾きは循環流の温度が高い方が低い場合に比べ緩やか（小）となる。このことから、データメモリ３５に格納される関係データは図７の（ｂ）に示す形態となる。この図７の（ｂ）に示す流量検出用データとして、給湯熱交湯温のバーナ燃焼の停止期間における下降傾きの値が与えられる。
【００７４】
循環流量検出部３４は演算部４２で演算された前記給湯熱交湯温の下降傾きの値と風呂温度センサ２１で検出される循環流の温度ＴFをデータメモリ３５に与えられている関係データと照合し、前記給湯熱交湯温の下降傾きの値と循環流の検出温度に対応した追い焚き循環流路２３内の通水流量（循環流量）を検出する。そして、この検出した通水流量が予め与えられている作動流量未満のときには、追い焚き循環流路２３内に流水がないものと判断して水無し検知信号を出力し、水無し報知手段３６により水無し報知を行わせ、空焚き防止安全手段３７により燃焼の停止ロック動作を行わせるものである。
【００７５】
この第８の実施形態例も前記第１〜第７の各実施形態例と同様な効果を奏するものである。
【００７６】
次に給湯熱交湯温の経時変化データと循環流の温度データに基づき追い焚き循環流路２３内の通水流量の検出を行う第９の実施形態例を説明する。この第９の実施形態例のブロック構成は前記図２に示すものと同様であり、演算部４２は経時温度データ採取記憶部３８により採取記憶されたデータから図４に示す如く、給湯熱交湯温の経時変化データ中の上側ピーク温度Ｐuとその前側の第１の下側ピーク温度ＰL1と後側の第２の下側ピーク温度ＰL2のデータを取り込んで、これらのデータを横軸を時間軸とし、縦軸を温度軸としたグラフ上に表し、下側ピーク温度ＰL1とＰL2を結ぶ線に上側ピーク温度Ｐuから垂線を降ろした交点Ｑを求める。そして、両隣の下側ピーク温度ＰL1，ＰL2を結ぶ下側ピーク間結線の長さ（ａ＋ｂ）と、第１の下側ピーク温度ＰL1と交点Ｑまでの線分の長さａと、交点Ｑと第２の下側ピーク温度ＰL2を結ぶ線分の長さｂと、前記上側ピーク温度Ｐuと交点Ｑ間の垂線の長さｃとのうちのいずれか２つのデータの比を演算により求める。
【００７７】
データメモリ３５には前記演算部４２で求められる比に対応した値と循環流量との関係データが循環流の温度ＴFに応じて（循環流の温度ＴFをパラメータとして）与えられている。
【００７８】
循環流量検出部３４は前記演算部４２で求められる比の値と風呂温度センサ２１で検出される循環流の温度ＴFをデータメモリ３５に格納されている関係データと照合し、前記演算部４２で求められる比の値と循環流の温度ＴFの値に対応した追い焚き循環流路２３内の循環流量を検出する。そして、その検出流量が予め与えられている作動流量未満のときには、追い焚き循環流路２３内に流水がないものと判断して水無し検知信号を出力し、水無し報知手段３６による水無しの報知と空焚き防止安全手段３７によるバーナ５の燃焼停止のロック動作を行わせる。
【００７９】
次に図４に示す前記ａ，ｂ，ｃ、（ａ＋ｂ）のうちの２つのデータの組み合わせによる比に基づく関係データの形態例をより具体的に説明する。
【００８０】
まず、演算部４２によりｂ／ａの演算が行われる構成としたときには、データメモリ３５にはこのｂ／ａに対応する判定比率値のデータと循環流量との関係データが循環流の温度ＴFに応じて（循環流の温度をパラメータとして）与えられる。この判定比率値ｂ／ａの値は、循環流量が小の方が大の場合よりも大きくなる。また、このｂ／ａの比の値は循環流の温度が高い方が低い場合よりも大きくなる。このことから、関係データは図７の（ａ）に示す形態となり、この図７の（ａ）の流量検出用データとして、ｂ／ａの値が与えられる。
【００８１】
また、演算部４２によりｂ／ｃの値を演算して追い焚き循環流路２３内の通水流量を検出する構成とする場合には、データメモリ３５にはこのｂ／ｃの演算値に対応する判定比率値の値と循環流量との関係データが循環流の温度ＴFに応じて（循環流の温度ＴFをパラメータとして）データメモリ３５に格納される。前記判定比率値ｂ／ｃの値は、循環流量が小さい場合の方が大きい場合よりも大きくなり、また、循環流の温度が高い方が低い場合よりも大となることから、図７の（ａ）に示す形態のデータとして与えられる。この図７の（ａ）の流量検出用データとして、判定比率値ｂ／ｃの値が与えられる。
【００８２】
同様に、演算部４２によりｂ／（ａ＋ｃ）の値を演算して追い焚き循環流路２３内の通水流量を検出する構成とする場合には、データメモリ３５にはｂ／（ａ＋ｃ）に対応する判定比率値と循環流量との関係データが循環流の温度ＴFに応じて、つまり、循環流の温度ＴFをパラメータとして与えられる。比率判定値ｂ／（ａ＋ｃ）の値は、循環流量が小の場合が大の場合よりも大きく、また、循環流の温度は、高い方が低い場合よりも大きくなる。このことから、データメモリ３５に与えられる関係データは図７の（ａ）に示す形態となり、この図７の（ａ）に示される流量検出用データとして比率判定値ｂ／（ａ＋ｃ）の値が与えられる。
【００８３】
同様に、演算部４２によりａ／ｂ，ｃ／ｂ，（ａ＋ｃ）／ｂ等の各演算値に基づき追い焚き循環流路２３の循環流量の検出を行う構成とする場合には、それぞれａ／ｂ，ｃ／ｂ，（ａ＋ｃ）／ｂに対応する判定比率値と循環流量との関係データが循環流の温度に応じたデータとしてデータメモリ３５に与えられる。
【００８４】
このように、第９の実施形態例においては、図４に示すａ，ｂ，ｃ，（ａ＋ｂ）の任意の２つのデータの組み合わせの比が演算部４２により演算され、その演算値と風呂温度センサ２１で検出される循環流の温度ＴFが関係データと照合され、この演算値と循環流の温度ＴFに対応する循環流量が求められる。そして、この求められた循環流量が予め与えられている作動流量未満のときには、追い焚き循環流路２３に流水がないものと判断し、水無し検知信号が出力されて水無し報知手段３６による水無し報知と空焚き防止安全手段３７によるバーナ５の燃焼停止ロックが行われるものであり、この第９の実施形態例も前記第１〜第８の各実施形態例と同様の効果を奏するものである。
【００８５】
次に給湯熱交湯温センサ３１により検出される給湯熱交湯温と風呂温度センサ２１により検出される循環流温度の情報に基づき追い焚き循環流路２３内の通水流量検出を行う本発明の第１０の実施形態例を説明する。この第１０の実施形態例の制御構成は図２に示すものと同様であり、この第１０の実施形態例では、演算部４２により、経時温度データ採取記憶部３８に採取記憶された給湯熱交湯温の経時データに基づき、図５に示すように横軸を時間軸とし、縦軸を温度軸したグラフ上に給湯熱交湯温の上側のピーク温度と下側のピーク温度の経時的に連続する４個のピーク温度位置Ｐu1，ＰL1，Ｐu2，ＰL2と、下側のピーク温度位置ＰL1からその両隣の上側のピーク温度Ｐu1，Ｐu2を結ぶ線に降ろした垂線の交点位置Ｑ1と、上側のピーク温度位置Ｐu2からその両隣の下側のピーク温度ＰL1，ＰL2を結ぶ線に降ろした垂線の交点位置Ｑ2のうち、予め定められる３点以上を結んで得られる図形の面積を求める。
【００８６】
一方、データメモリ３５にはその演算対象となる図形に対応した面積値と循環流量との関係データが循環流の温度ＴFに応じて、つまり、循環流の温度ＴFをパラメータとして与えられている。循環流量検出部３４は、演算部４２で演算された図形面積値と風呂温度センサ２１で検出される循環流の温度ＴFのデータをデータメモリ３５に格納されている関係データと照合し、その図形面積値と循環流温度に対応する追い焚き循環流路２３内の循環流量を検出する。そして、検出した循環流量が予め与えられている作動流量未満のときには水無し検知信号を出力し、水無し報知手段３６による水無し報知と、空焚き防止安全手段３７によるバーナ５の燃焼停止のロック動作を行わせる。
【００８７】
前記演算部４２による図形面積の演算は、例えば、図５のＰu1，ＰL1，Ｑ1を結ぶ三角形の面積、ＰL1，Ｐu2，Ｑ1を結ぶ三角形の面積、ＰL1，Ｐu2，Ｑ2を結ぶ三角形の面積、Ｑ2，Ｐu2，ＰL2を結ぶ三角形の面積、Ｐu1，Ｐu2，ＰL1を結ぶ三角形の面積、Ｐu2，ＰL1，ＰL2を結ぶ三角形の面積、Ｑ1，ＰL1，Ｑ2，Ｐu2を結ぶ四角形の面積、Ｐu1，ＰL1，ＰL2，Ｐu2を結ぶ四角形の面積等、予め定められた点を結んで図形の面積が求められる。また、データメモリ３５には、これら求められる面積の図形に応じて、図７の（ａ），（ａ′），（ｂ），（ｂ′）に示す形態の関係データが格納されるものであり、この図７の流量検出用データとして、図形面積値の値が与えられる。
【００８８】
そして、演算部４２で演算される図形面積値と風呂温度センサ２１で検出される循環流の温度のデータがデータメモリ３５に与えられている関係データに照合されて、追い焚き循環流量が検出されるものであり、この第１０の実施形態例においても、前記第１〜第９の各実施形態例と同様の効果を奏するものである。
【００８９】
ところで、一缶二水路式給湯装置においては、給湯燃焼状態を示す給湯燃焼ランプと追い焚き燃焼状態を示す追い焚き燃焼ランプが設けられており、図１２に示す如く追い焚き循環流路２３に流水センサあるいは流量センサ１９を備えた器具にあっては、給湯運転に際しては、流量検出センサ１３で作動流量以上の流量を検出したときに、バーナ５の点火を行い、フレームロッド（図示せず）でバーナ５の炎が検出されたことを確認して給湯燃焼ランプをオンさせている。また、追い焚き単独運転に際しては、追い焚き指令が出されて流水センサあるいは流量センサ１９で流水が確認された後、バーナ５を点火してバーナ５の燃焼を開始し、フレームロッドでそのバーナ５の炎が確認されたときに追い焚き燃焼状態を報知する追い焚き燃焼ランプをオンさせている。
【００９０】
本発明では、流水センサや流量センサ１９を省略して追い焚き循環流量を検出することができることから、本実施形態例では、追い焚き単独運転時に、追い焚き燃焼ランプをオンするまでの追い焚き開始動作のシーケンス制御構成を従来例とは異なる構成としている。
【００９１】
図９はこの追い焚き単独運転時における本実施形態例の追い焚き開始動作制御の構成を示すもので、追い焚き指令が出されてから他機能燃焼ランプとしての追い焚き燃焼ランプをオン駆動するまでの制御は追い焚き開始動作制御部３９により行われている。
【００９２】
すなわち、追い焚き開始動作制御部３９は、追い焚き指令が出されたときには、循環ポンプ１７を直ちに起動し、点火器によりバーナ５の点火を行う。そして、前記各実施形態例における循環流量検出部３４で追い焚き循環流路２３内の循環流量が作動流量以上となったことを確認して、追い焚き燃焼ランプをオン駆動させるようにしている。
【００９３】
このように、本実施形態例では、循環流量検出部３４により、図１２で示すような流量センサ１９を設けることなく、循環流量を検出できることから、循環流量検出部３４の循環流量の検出結果を利用して追い焚き燃焼ランプを的確に動作させることが可能となる。
【００９４】
なお、本発明は上記各実施形態例に限定されることはなく、様々な実施の形態例を採り得る。例えば、上記実施形態例では、他機能運転を追い焚き運転とし、非給湯側熱交換器を追い焚き熱交換器３とし、流体の循環流路を追い焚き循環流路２３としたが、他機能運転を追い焚き以外の運転とし、前記非給湯側熱交換器は追い焚き以外の熱交換器としてもよく、また、流体の循環流路を追い焚き循環流路以外の循環流路としてもよいものである。
【００９５】
例えば、図８に示すように、非給湯側熱交換器を暖房用熱交換器４４とし、流体の循環流路を暖房循環流路４５としてもよいものである。この暖房と給湯の機能を有する一缶二水路式給湯装置では、エチレングリコールやプロピレングリコールに水を加えた流体が循環ポンプ１７によって暖房循環流路４５を循環し、その循環流体は暖房用熱交換器４４で加熱され、その加熱流体は放熱器４６を通るときに暖房ファン４７の風を受けて放熱し、放熱器４６を通った暖かい風が室内に導入されて室内暖房が行われるものである。
【００９６】
なお、図８中４８はバイパス流路、４９はシスターンタンク、５０は暖房オン・オフバルブをそれぞれ示している。また、４０は非給湯側流体温度検出センサとして機能する循環流温度センサである。
【００９７】
前述の如く、暖房運転を行うに際し、その暖房循環流量が分かるので、例えば、図１３に示すように、複数台の放熱器４６（４６ａ，４６ｂ，４６ｃ）を選択的に運転稼動するような場合に、その運転台数を循環流量の検出値に基づき把握することが可能となる。すなわち、０台運転時には、放熱器（コンベクター）４６のバルブ５０は共に閉のため、循環流はバイパス通路４８しか流れないのに対し、３台運転中は各放熱器４６ａ，４６ｂ，４６ｃ側の流路とバイパス通路４８の全流路に循環流が流れるため、ポンプ１７と暖房熱交換器４４を通る流量が一番多くなる。
【００９８】
また、燃焼熱量とサーミスタ（温度センサ）５１の温度情報から放熱器４６の運転能力が分かる。例えば、放熱器４６が１台しか運転されておらず、その能力がファン最大で運転しているとか、放熱器４６が３台とも運転されているが３台ともファン能力が小でしか運転されていないかが分かる。
【００９９】
風呂でも暖房でも循環配管長さは施工の工事後にならないと分からないが、本発明にて循環流量を検出した結果、エロージョン・コロージョンの発生する例えば２ｍ／ｓ以下の流速（熱交換器の配管径は予め分かっているので流量が分かれば流速が分かる）がある場合にはポンプ能力を落とす等の制御を行える。
【０１００】
さらに、風呂循環金具のごみ詰まり具合も循環流量の変化で分かり、利用者に知らせることができる。
【０１０１】
また、図１２に示すシステム構成では、湯張り通路２４を設けたが、この湯張り通路２４は省略してもよく、また、図１２の破線で示すように給水管１１と給湯管１４間にバイパス通路４３を設けたものでもよく、給湯熱交換器２と非給湯側の熱交換器とが一体化された一缶二水路式の構成を備えた器具であればよく、その給湯側と非給湯側のシステム構成は上記実施形態例以外の様々なシステム形態を採り得るものである。
【０１０２】
なお、上記実施形態例では、追い焚き単独運転中（給湯以外の他機能単独運転中）の動作中で循環流路内の流量を検出するようにしたが、給湯と他機能の同時運転時においても、循環流路に流量センサ１９を設けることなく循環流路内の流量を検出する手段を他の特許出願で提案しており、循環流路内の流量検出が流量センサ１９を設けることなく、他機能単独運転（例えば追い焚き単独運転）以外の動作においても支障なく行われるものである。
【０１０３】
【発明の効果】
本発明によれば、流水センサや流量センサ等の液体（流体）の流れや流量を検出するセンサを循環流路に設けることなくバーナのオン・オフ燃焼制御によるバーナのオン・オフの動作状態の時間情報により、あるいは給湯熱交湯温センサによって検出される給湯熱交湯温（熱交検出湯温）の情報によって循環流路内の流体（流体の流れ）の流量が検出できるので、例えば、髪の毛等のゴミが循環流体に混入して循環流路に流れたとしても、それらのゴミによって故障するという問題を起こすことなく循環流路内の流体の流れの有無や流量を確実、且つ、正確に検出することが可能となる。
【０１０４】
また、前記の如く、流体（液体）の循環流路に流水センサや流量センサ等の循環流体の流れを検出するセンサを省略できるので、その分、装置コストの低減化を図ることが可能である。
【０１０５】
さらに、前記の如く循環流路を流れるゴミ等に影響を受けずに循環流路内の流体の流量を検出して流体の流量が作動流量未満であることが検出されたときには、その液無し検知信号により、液無し状態を液無し報知手段により報知するように構成しているので、使用者に液無しの状態を確実に知らせて使用者に適切な措置を促すことができるという効果が得られる。
【０１０６】
さらに、液無し（流体の流量が作動流量未満の状態）が検出された液無し検知信号が出力されたときに空焚き防止安全手段により他機能単独運転（例えば追い焚き単独運転）の停止を行う構成としたことによって、循環流路に流体がない状態で空焚きが行われるという危険を確実に防止することができるので、その空焚きに対する危険の防止を確実に図ることが可能となる。特に、本発明では、前記の如く、循環流路に流れるゴミ等に影響を受けることなく循環流路内の流量を検出して空焚き防止が行われるので、その空焚き防止の安全動作の信頼性を格段に高めることが可能となるものである。
【０１０７】
さらに、従来例の如く、例えば風呂の追い焚き循環流路に流水センサや流量センサを設けて追い焚き循環流路内の水の流れの有無や流量を検出する構成の場合には、追い焚き循環流路に髪の毛等のゴミが流れてこれが流水センサや流量センサに絡みつく等してこれらのセンサが故障した場合には、流水が生じているにも拘わらず流水検出信号が出力されないことにより、器具が空焚き状態と判断して燃焼を停止させてしまったり、あるいは、追い焚き循環流路に水（流水）がないにも拘わらず前記流水センサや流量センサの故障により流水検出信号が出力されて空焚きが行われるという問題が発生するおそれがあるが、本発明では、前記の如く、追い焚き循環流路を流れる髪の毛等のゴミの影響を受けてセンサが故障を起こすということがないので、これら追い焚き循環流路に流水センサや流量センサを設けるという不具合を一気に解消できるという優れた効果を奏するものである。
【０１０８】
さらに、本発明においては、他機能開始動作制御部を設け、循環流量検出部で検出される循環流量が作動流量以上となったことを確認して他機能燃焼ランプ（例えば追い焚き燃焼ランプ）をオン駆動するように構成しているので、循環流路に流体の流れや流量を検出するセンサを設けることなく、他機能燃焼動作を報知する他機能燃焼ランプを的確にオン駆動させることができるという効果が得られるものである。
【図面の簡単な説明】
【図１】バーナの間欠燃焼動作状態の時間の情報に基づき追い焚き循環流路内の流量を検出する本実施形態例のブロック構成図である。
【図２】追い焚き単独運転中における給湯熱交湯温の情報に基づき追い焚き循環流路内の流量を検出する本実施形態例の構成を示すブロック図である。
【図３】バーナの間欠燃焼動作状態と給湯熱交湯温の関係を示す説明図である。
【図４】上側ピーク温度Ｐuから両隣の下側ピーク温度ＰL1，ＰL2を結ぶ線に垂線を降ろして得られる線の長さａ，ｂ，ｃ，（ａ＋ｂ）の任意の２つの組み合わせの比を利用して追い焚き循環流路内の流量を検出する実施形態例の説明図である。
【図５】給湯熱交湯温の上側ピーク温度Ｐu1，Ｐu2と下側ピーク温度ＰL1，ＰL2とＰL1，Ｐu2の垂線の交点Ｑ1，Ｑ2の各点のうちの予め定められた３点以上を結んで得られる図形の面積に基づき追い焚き循環流路内の流量を検出する実施形態例の説明図である。
【図６】追い焚き循環流路内の流量が小の状態のときのバーナの間欠燃焼運転による給湯熱交湯温の経時変化パターンを示す説明図である。
【図７】本実施形態例における流量検出用データと循環流量との関係データの形態例を示す図である。
【図８】本発明が適用される給湯機能と暖房機能を備えた一缶二水路式給湯装置のシステム構成例を示す図である。
【図９】本実施形態例における追い焚き開始動作の制御構成を示すブロック図である。
【図１０】給湯熱交湯温センサを用いてバーナの間欠燃焼動作を行う制御構成のブロック図である。
【図１１】予め与えられるオフ温度とオン温度に基づき追い焚き単独運転中のバーナのオン・オフ間欠燃焼動作例を示す説明図である。
【図１２】出願人が先に試作したバーナ間欠燃焼タイプの一缶二水路式給湯装置のシステム図である。
【図１３】放熱器の複数台稼動タイプの暖房機能を備えた一缶二水路式給湯装置のシステム構成例の説明図である。
【符号の説明】
２  給湯熱交換器
３  追い焚き熱交換器
２３  追い焚き循環流路
３１  給湯熱交湯温センサ
３２  バーナオン・オフ燃焼制御部
３３  時間計測手段
３４  循環流量検出部
３６  水無し報知手段
３７  空焚き防止安全手段
３８  経時温度データ採取記憶部
３９  追い焚き開始動作制御
【図１】
0003811561.tif 000002
【図２】
0003811561.tif 000003
【図３】
0003811561.tif 000004
【図４】
0003811561.tif 000005
【図５】
0003811561.tif 000006
【図６】
0003811561.tif 000007
【図７】
0003811561.tif 000008
【図８】
0003811561.tif 000009
【図９】
0003811561.tif 000010
【図１０】
0003811561.tif 000011
【図１１】
0003811561.tif 000012
【図１２】
0003811561.tif 000013
【図１３】
0003811561.tif 000014